(57)【要約】【課題】大きな周波数オフセットが存在する状態であっても、比較的少ない処理で初期捕捉信号を検出可能なマルチキャリアＣＤＭＡ用の受信装置を得ること。【解決手段】本発明の受信装置は、マルチキャリアＣＤＭＡを採用し、各サブキャリアに多重化された初期捕捉信号を受信する構成とし、たとえば、一定間隔でタイミングをずらしながらガードインターバルを除去することによって、受信信号からシンボル波形を抽出するＧＩ除去部１４と、前記抽出したシンボル波形に対して所定のフーリエ変換を実行することによって、サブキャリアシンボルを抽出するサブキャリア抽出処理部１５と、時間的に連続したサブキャリアシンボルの位相偏差に基づいて初期捕捉信号を検出する初期捕捉信号検出処理部１６と、を備える。【選択図】　　　図２
2004064670.tif 000002
【特許請求の範囲】
【請求項１】
所定の逆フーリエ変換処理前のすべてのサブキャリアまたは一部のサブキャリアに、初期捕捉用の特定パターンの信号（初期捕捉信号）として、一定の位相回転信号またはその逆方向に位相を回転させた信号のどちらか一方を多重化する初期捕捉信号多重化手段、
を備えることを特徴とする送信装置。
【請求項２】
前記初期捕捉信号多重化手段は、
一定の位相回転信号を生成する位相回転信号生成手段と、
前記位相回転信号の複素共役を計算する複素共役計算手段と、
前記位相回転信号と前記複素共役計算結果とを拡散コードに応じて選択する選択手段と、
前記選択された一方の信号に対して各サブキャリアに対応した特定の初期位相を与え、その結果を初期捕捉信号として出力する位相回転手段と、
を備えることを特徴とする請求項１に記載の送信装置。
【請求項３】
各サブキャリアに多重化された初期捕捉用の特定パターンの信号（初期捕捉信号）として、一定の位相回転信号またはその逆方向に位相を回転させた信号のどちらか一方の信号を検出する受信装置において、
受信信号から抽出したシンボル波形に対して所定のフーリエ変換を実行することによって、サブキャリアシンボルを抽出するサブキャリア抽出手段と、
時間的に連続したサブキャリアシンボルの位相偏差に基づいて初期捕捉信号を検出する初期捕捉信号検出手段と、
を備えることを特徴とする受信装置。
【請求項４】
各サブキャリアに多重化された初期捕捉用の特定パターンの信号（初期捕捉信号）として、一定の位相回転信号またはその逆方向に位相を回転させた信号のどちらか一方の信号を検出する受信装置において、
一定間隔でタイミングをずらしながらガードインターバルを除去することによって、受信信号からシンボル波形を抽出するガードインターバル除去手段と、
前記抽出したシンボル波形に対して所定のフーリエ変換を実行することによって、サブキャリアシンボルを抽出するサブキャリア抽出手段と、
時間的に連続したサブキャリアシンボルの位相偏差に基づいて初期捕捉信号を検出する初期捕捉信号検出手段と、
を備えることを特徴とする受信装置。
【請求項５】
前記初期捕捉信号検出手段は、
時間的に連続したサブキャリアシンボルの位相偏差を計算する位相偏差計算手段と、
前記サブキャリアシンボルの位相偏差に拡散コードを乗算し、さらに、同一タイミングで抽出されたサブキャリアシンボルに対応する前記乗算後の位相偏差の電力を平均化する第１の電力平均化手段と、
同一タイミングで抽出されたサブキャリアシンボルの電力を平均化する第２の電力平均化手段と、
前記各平均化結果に基づいて周波数オフセット量を推定する周波数オフセット推定手段と、
を備えることを特徴とする請求項３または４に記載の受信装置。
【請求項６】
前記初期捕捉信号検出手段は、
時間的に連続したサブキャリアシンボルの位相偏差を計算する位相偏差計算手段と、
前記サブキャリアシンボルの位相偏差に拡散コードを乗算し、さらに、同一タイミングで抽出されたサブキャリアシンボルに対応する前記乗算後の位相偏差の電力を平均化する電力平均化手段と、
同一タイミングで抽出されたサブキャリアシンボルの位相偏差を平均化する位相偏差平均化手段と、
前記位相偏差平均化手段の出力する位相偏差の平均値の電力を計算する位相偏差電力計算手段と、
前記電力平均化手段の出力する電力の平均値および前記位相偏差電力計算手段の出力する電力に基づいて、周波数オフセット量を推定する周波数オフセット推定手段と、
を備えることを特徴とする請求項３または４に記載の受信装置。
【発明の詳細な説明】
【０００１】
【発明の属する技術分野】
本発明は、携帯電話などの移動体通信システムおよび無線通信システムにおいて、マルチキャリアＣＤＭＡ（Ｃｏｄｅ　Ｄｉｖｉｓｉｏｎ　Ｍｕｌｔｉｐｌｅ　Ａｃｃｅｓｓ）を採用する送信装置および受信装置に関するものであり、特に、非常に大きな周波数オフセットが存在する初期状態においても適切に対処可能な送信装置および受信装置に関するものである
【０００２】
【従来の技術】
たとえば、移動体通信システムおよび無線通信システムにおいては、送信装置側の局部発振器の周波数と受信装置側の局部発振器の周波数が完全に一致していないため、受信装置にて受信した信号に周波数オフセットが生じる。この周波数オフセットは、高周波からベースバンド信号にダウンコンバートする際に発生し、これにより、ベースバンドの受信信号の位相が時間とともに回転することになる。
【０００３】
特に、送信装置が送信する信号をはじめて受信するような場合には、非常に大きな周波数オフセットが存在する状態であるため、受信装置では、局部発振器に由来する周波数オフセットを補正しつつ、特定の信号を受信する（以降、この処理を「初期捕捉」と呼ぶ。また、このとき受信する特定の信号を「初期捕捉信号」と呼ぶ。）。そして、報知チャネルなどを受信し、その後の通信を行うための情報を得る。
【０００４】
また、花田他著、“ブロードバンドマルチキャリアＣＤＭＡ伝送における周波数多重同期チャネルを用いた３段階セルサーチ特性”、（電子情報通信学会、信学技報、ＮＳ２００１−９０，ＲＣＳ２００１−９１，２００１年１月）では、複数のＦＦＴ（Ｆａｓｔ　Ｆｏｕｒｉｅｒ　Ｔｒａｎｓｆｅｒ）ウィンドウタイミングを検出し、その検出タイミング毎にＦＦＴ出力と固定パターンとの相関を計算することによって、フレームタイミングの候補を検出する。さらに、検出した複数のフレームタイミングに対して拡散コードの同定処理を行い、最終的なフレームタイミングを決定する。
【０００５】
【発明が解決しようとする課題】
しかしながら、上記公報記載の技術においては、複数のＦＦＴウィンドウタイミングに対して同時にＦＦＴ処理を行う必要があるため、処理量が増大する、という問題があった。また、周波数オフセットへの対策が施されていない、という問題もあった。
【０００６】
本発明は、上記に鑑みてなされたものであって、大きな周波数オフセットが存在する状態であっても、比較的少ない処理で初期捕捉信号を検出でき、さらに、同時に周波数オフセットを推定することが可能なマルチキャリアＣＤＭＡ用の受信装置を得ることを目的とする。
【０００７】
【課題を解決するための手段】
上述した課題を解決し、目的を達成するために、本発明にかかる送信装置にあっては、所定の逆フーリエ変換処理前のすべてのサブキャリアまたは一部のサブキャリアに、初期捕捉用の特定パターンの信号（初期捕捉信号）として、一定の位相回転信号またはその逆方向に位相を回転させた信号のどちらか一方を多重化する初期捕捉信号多重化手段、を備えることを特徴とする。
【０００８】
つぎの発明にかかる送信装置において、前記初期捕捉信号多重化手段は、一定の位相回転信号を生成する位相回転信号生成手段と、前記位相回転信号の複素共役を計算する複素共役計算手段と、前記位相回転信号と前記複素共役計算結果とを拡散コードに応じて選択する選択手段と、前記選択された一方の信号に対して各サブキャリアに対応した特定の初期位相を与え、その結果を初期捕捉信号として出力する位相回転手段と、を備えることを特徴とする。
【０００９】
つぎの発明にかかる受信装置にあっては、各サブキャリアに多重化された初期捕捉用の特定パターンの信号（初期捕捉信号）として、一定の位相回転信号またはその逆方向に位相を回転させた信号のどちらか一方の信号を検出する構成とし、受信信号から抽出したシンボル波形に対して所定のフーリエ変換を実行することによって、サブキャリアシンボルを抽出するサブキャリア抽出手段と、時間的に連続したサブキャリアシンボルの位相偏差に基づいて初期捕捉信号を検出する初期捕捉信号検出手段と、を備えることを特徴とする。
【００１０】
つぎの発明にかかる受信装置にあっては、各サブキャリアに多重化された初期捕捉用の特定パターンの信号（初期捕捉信号）として、一定の位相回転信号またはその逆方向に位相を回転させた信号のどちらか一方の信号を検出する構成とし、一定間隔でタイミングをずらしながらガードインターバルを除去することによって、受信信号からシンボル波形を抽出するガードインターバル除去手段と、前記抽出したシンボル波形に対して所定のフーリエ変換を実行することによって、サブキャリアシンボルを抽出するサブキャリア抽出手段と、時間的に連続したサブキャリアシンボルの位相偏差に基づいて初期捕捉信号を検出する初期捕捉信号検出手段と、を備えることを特徴とする。
【００１１】
つぎの発明にかかる受信装置において、前記初期捕捉信号検出手段は、時間的に連続したサブキャリアシンボルの位相偏差を計算する位相偏差計算手段と、前記サブキャリアシンボルの位相偏差に拡散コードを乗算し、さらに、同一タイミングで抽出されたサブキャリアシンボルに対応する前記乗算後の位相偏差の電力を平均化する第１の電力平均化手段と、同一タイミングで抽出されたサブキャリアシンボルの電力を平均化する第２の電力平均化手段と、前記各平均化結果に基づいて周波数オフセット量を推定する周波数オフセット推定手段と、を備えることを特徴とする。
【００１２】
つぎの発明にかかる受信装置において、前記初期捕捉信号検出手段は、時間的に連続したサブキャリアシンボルの位相偏差を計算する位相偏差計算手段と、前記サブキャリアシンボルの位相偏差に拡散コードを乗算し、さらに、同一タイミングで抽出されたサブキャリアシンボルに対応する前記乗算後の位相偏差の電力を平均化する電力平均化手段と、同一タイミングで抽出されたサブキャリアシンボルの位相偏差を平均化する位相偏差平均化手段と、前記位相偏差平均化手段の出力する位相偏差の平均値の電力を計算する位相偏差電力計算手段と、前記電力平均化手段の出力する電力の平均値および前記位相偏差電力計算手段の出力する電力に基づいて、周波数オフセット量を推定する周波数オフセット推定手段と、を備えることを特徴とする。
【００１３】
【発明の実施の形態】
以下に、本発明にかかる送信装置および受信装置の実施の形態を図面に基づいて詳細に説明する。なお、この実施の形態によりこの発明が限定されるものではない。
【００１４】
実施の形態１．
図１は、本発明にかかるマルチキャリアＣＤＭＡ用の送信装置の構成を示す図である。図１において、１は変調処理部であり、２は拡散処理部であり、３は初期捕捉信号生成部であり、４は多重化部であり、５は逆離散フーリエ変換処理部であり、６はアナログ送信処理部であり、７は発振器であり、８はアンテナである。
【００１５】
また、図２は、本発明にかかるマルチキャリアＣＤＭＡ用の受信装置の構成を示す図である。図２において、１１はアンテナであり、１２はアナログ受信処理部であり、１３は発振器であり、１４はガードインターバル（ＧＩ）除去部であり、１５はサブキャリア抽出処理部であり、１６は初期捕捉信号検出処理部である。
【００１６】
ここで、上記のように構成された送信装置および受信装置の動作について説明する。まず、マルチキャリアＣＤＭＡ用の送信装置の動作について説明する。変調処理部１では、送信データを、たとえば、ＰＳＫ（Ｐｈａｓｅ　Ｓｈｉｆｔ　ｋｅｙｉｎｇ）やＱＡＭ（Ｑｕａｄｒａｔｕｒｅ　Ａｍｐｌｉｔｕｄｅ　Ｍｏｄｕｌａｔｉｏｎ）のような変調信号に対応したシンボルに変換し、この変調シンボルを出力する。
【００１７】
拡散処理部２では、変調処理部１が出力する変調シンボルに拡散符号を乗算して拡散信号を生成する。初期捕捉信号生成部３では、初期捕捉用の特定パターンの信号を生成する。そして、多重化部４では、拡散処理部２の出力する拡散信号と初期捕捉信号生成部３の出力する初期捕捉信号とを多重化する。このとき、多重化部４では、すべてのサブキャリアまたは一部のサブキャリアに対応する拡散信号に、初期捕捉用の特定パターンの信号を多重化させる。
【００１８】
逆離散フーリエ変換処理部５では、多重化後の拡散信号に対して逆離散フーリエ変換を実行してシンボル波形を生成し、さらに、当該シンボル波形にガードインターバル波形を付加することによって、送信信号を生成する。なお、ガードインターバル波形は、シンボル波形の最後尾の一部と同じ波形であり、この波形をシンボル波形の先頭に付加する。
【００１９】
アナログ送信処理部６では、上記送信信号を受け取り、発振器７の出力周波数に基づいて、ディジタル信号からアナログ信号への変換およびアップコンバート等の処理を行い、アンテナ８から高周波の送信信号を送信する。
【００２０】
つぎに、上記初期捕捉信号生成部３の詳細な動作について説明する。図３は、初期捕捉信号生成部３の構成例を示す図であり、２１は位相回転信号生成部であり、２２は複素共役計算部であり、２３は選択処理部であり、２４は位相回転処理部である。
【００２１】
位相回転信号生成部２１では、次式（１）のように、一定の位相回転量で位相を回転させた信号を出力する。
Ｘ（ｎ）＝　ｅｘｐ（ｊ×ｗ×ｎ）　　　…（１）
なお、Ｘ（ｎ）はｎシンボル目の位相回転信号生成部２１の出力信号を表し、ｗは位相回転量を表し、ｊは虚数（２乗が−１）を表す。
【００２２】
複素共役計算部２２では、位相回転信号生成部２１の出力信号の複素共役を計算する。そして、選択処理部２３では、拡散コードに応じて、サブキャリア毎に位相回転信号生成部２１の出力と複素共役計算部２２の出力とを選択する。
【００２３】
位相回転処理部２４では、選択処理部２３の出力する信号に対して、各サブキャリアに対応した初期位相を与え、その結果を初期捕捉用の拡散信号として出力する。位相回転処理部２４から出力される拡散信号は、次式（２）のように表すことができる。
Ｘ’（ｍ，ｎ）＝ｅｘｐ（ｊ×Ｃ（ｍ）×ｗ×ｎ＋Ｐ（ｍ））…（２）
なお、Ｘ’（ｍ，ｎ）はｎシンボル目のｍ番目のサブキャリアの初期捕捉用の拡散信号を表す。また、Ｃ（ｍ）はｍ番目のサブキャリアに対応した拡散コードを表し、「＋１」または「−１」の値をとる。また、Ｐ（ｍ）はｍ番目のサブキャリアに対応した初期位相を表す。
【００２４】
図４は、位相回転処理部２４から出力される初期捕捉用の拡散信号の一例を示す図である。たとえば、（ａ）は、０番目のサブキャリアの初期捕捉用の拡散信号を表し、初期位相はＰ（０）である。また、（ｂ）は、１番目のサブキャリアの初期捕捉用の拡散信号を表し、初期位相はＰ（１）である。また、（ｃ）は、ｍ番目のサブキャリアの初期捕捉用の拡散信号を表し、初期位相はＰ（ｍ）である。
【００２５】
また、図５は、初期捕捉用の拡散信号の多重化の一例を示す図である。受信装置側では、この初期捕捉用信号を用いた比較的小規模な処理により、ＦＦＴウィンドウタイミングおよびフレームタイミングを検出する。
【００２６】
つぎに、上記マルチキャリアＣＤＭＡ用の受信装置の動作について説明する。ここでは、位相差をｗ＝π／２（図４参照）とした場合の初期捕捉信号を受信する受信装置の動作について説明する。
【００２７】
アンテナ１１を介して高周波の受信信号を受け取ったアナログ受信処理部１２では、発振器１３の発振周波数を基準にして、ベースバンド信号へのダウンコンバートおよびアナログ信号からディジタル信号への変換処理（Ａ／Ｄ変換）を行う。
【００２８】
ガードインターバル除去部１４では、アナログ受信処理部１２の出力するベースバンドのディジタル信号（以下、ディジタル受信信号と呼ぶ）からガードインターバル波形を除去する。図６は、ガードインターバル波形除去方法の具体例を示す図である。ここでは、１つの初期捕捉信号を複数のＦＦＴウィンドウタイミング３１−１〜３１−Ｋで検出できるように、一定間隔（以下の説明ではＤシンボル間隔とする）でガードインターバル波形の除去タイミングを変更する。すなわち、初期捕捉信号の先頭Ｄシンボル３２−１はＦＦＴウィンドウタイミング３１−１でガードインターバル波形を除去し、次のＤシンボル３２−２はＦＦＴウィンドウタイミング３１−２でガードインターバル波形を除去する。
【００２９】
サブキャリア抽出処理部１５では、ガードインターバル除去部１４の出力するシンボル波形に対して離散フーリエ変換を実行し、サブキャリアシンボルを生成する。最後に、初期捕捉信号検出処理部１６では、サブキャリア抽出処理部１５の出力するサブキャリアシンボルから初期捕捉信号を検出し、その検出結果として検出タイミングおよび周波数オフセット推定値を出力する。
【００３０】
つぎに、上記初期捕捉信号検出処理部１６の詳細な動作について説明する。図７は、初期捕捉信号検出処理部１６の構成例を示す図である。図７において、４１はサブキャリア位相偏差計算処理部であり、４２は乗算部であり、４３は平均処理部であり、４４は電力計算処理部であり、４５は平均処理部であり、４６は検出処理部である。
【００３１】
サブキャリア位相偏差計算処理部４１では、各サブキャリアの時間軸上で連続したシンボル間の位相偏差を次式（３）のように計算する。
Ｚ（ｍ，ｎ）＝Ｙ（ｍ，ｎ）×ＣＯＮＪＧ（Ｙ（ｍ，ｎ−１））…（３）
なお、ＣＯＮＪＧ（ａ）は複素数ａの複素共役を表し、Ｙ（ｍ，ｎ）はｎシンボル目のｍ番目のサブキャリアシンボルを表し、Ｚ（ｍ，ｎ）はＹ（ｍ，ｎ）とＹ（ｍ，ｎ−１）の位相偏差を複素表示した値を表す。
【００３２】
乗算部４２では、次式（４）のように、サブキャリア位相偏差計算処理部４１の出力する位相偏差に対して拡散コードを乗算し、その乗算結果を出力する。
Ｚ´（ｍ，ｎ）＝　Ｚ（ｍ，ｎ）×Ｃ（ｍ）　　　…（４）
なお、Ｚ´（ｍ，ｎ）は乗算部４２の出力を表す。また、Ｃ（ｍ）はｍ番目のサブキャリアに対応する拡散コードを表し、「＋１」または「−１」となる。
【００３３】
平均処理部４３では、同じＦＦＴウィンドウタイミングで処理されているサブキャリアシンボルの位相偏差の平均を、次式（５）のように計算する。
Ｆｄ（ｉ）＝Σ（Ｚ´（ｍ，ｎ））／（Ｍ×（Ｄ−１））　　　…（５）
ただし、Σでは、同じＦＦＴウィンドウタイミングで抽出されたサブキャリアシンボルの位相偏差の総和を計算する。なお、Ｍはサブキャリア数を表す。
【００３４】
電力計算処理部４４では、各サブキャリアシンボルの電力を計算し、その結果を出力する。平均処理部４５では、同じＦＦＴウィンドウタイミングで抽出されたサブキャリアシンボルの電力を平均化する。
【００３５】
検出処理部４６では、条件「｜Ｆｄ（ｉ−１）｜２＞｜Ｆｄ（ｉ）｜２」かつ「｜Ｆｄ（ｉ−１）｜２＞　Ｑ（ｉ−１）」を満たす（ｉ−１）番目のＦＦＴウィンドウタイミングを検出タイミングとする。なお、Ｑ（ｉ−１）はサブキャリアシンボルの平均電力に適当な係数を掛けた値を表す。
【００３６】
また、検出処理部４６では、初期捕捉信号を検出した場合に、次式（６）を用いて周波数オフセットを計算し、その結果を周波数オフセット推定値として出力する。
Ｒ＝ａｒｇ（（Ｆｄ（ｉ−１）×ｅｘｐ（−ｊ×π／２））…（６）
なお、ａｒｇ（ａ）は複素数ａを極座標表現したときの角度を表す。
【００３７】
たとえば、ガードインターバル除去部１４が初期捕捉信号に対して正しいタイミングでシンボル波形を取り出した場合、サブキャリア位相偏差計算処理部４１の出力する位相偏差は、送信装置側で使用した拡散コードに応じて位相偏差の符号が反転している。そのため、ここでは、当該拡散コードを乗じることによって位相偏差の符号を一致させる。さらに、同じＦＦＴウィンドウタイミングで抽出された（Ｍ×（Ｄ−１））個のサブキャリアシンボルを平均化することによって、他の雑音や干渉を抑圧する。一方、ガードインターバル除去部１４が初期捕捉信号に対して誤ったタイミングでシンボル波形を取り出した場合、平均処理部４３で平均化することによって、サブキャリアシンボル位相偏差の平均電力｜Ｆｄ（ｉ）｜２は非常に小さい値になる。図８は、サブキャリアシンボル位相偏差の平均電力の様子を表した図である。
【００３８】
また、送信装置側では、先に説明したようにｗ＝π／２としたので、周波数オフセットによる位相回転がサブキャリアシンボルに含まれていない場合、サブキャリアシンボル位相偏差の平均値Ｆｄ（ｉ）は、π／２となる。したがって、実際に周波数オフセットの影響がある場合、（Ｆｄ（ｉ）−π／２）が周波数オフセット量に相当する。
【００３９】
このように、本実施の形態の送信装置においては、逆離散フーリエ変換処理前のすべてのサブキャリアまたは一部のサブキャリアに、一定の位相回転信号またはその逆方向に位相を回転させた信号のどちらかを多重化することとした。これにより、受信装置側による誤検出を抑えることができ、さらに、受信装置側に、従来技術よりも少ない処理量で初期捕捉信号を検出させることができる。
【００４０】
また、初期補足信号に対してサブキャリア毎に異なる初期位相を割り当てることとしたため、初期補足信号のピークレベルを低く抑えることができる。
【００４１】
また、本実施の形態の受信装置においては、ＦＦＴウィンドウタイミングを一定間隔でずらしながら初期補足信号を検出することとした。これにより、複数のＦＦＴ処理を同時に行う必要がなくなり、従来技術に比べて少ない処理で初期捕捉を完了できる。また、初期捕捉信号の位相偏差を利用して検出処理を行うこととしたため、比較的大きな周波数オフセットが存在する場合であっても初期捕捉を実現でき、さらに同時に、周波数オフセット量を推定できる。
【００４２】
なお、本実施の形態では、従来技術同様に、複数のＦＦＴウィンドウタイミングの候補を決定し、その後、複数のＦＦＴウィンドウタイミング候補で初期捕捉信号を検出することも可能である。
【００４３】
また、初期捕捉信号検出処理部１６については図７と異なる構成であってもよい。たとえば、図９は、初期捕捉信号検出処理部１６の別構成を示す図であり、５１は平均処理部であり、５２は電力計算処理部である。この例では、平均処理部５１が、サブキャリア位相偏差計算処理部４１の出力する位相偏差を受け取り、同じＦＦＴウィンドウタイミングで抽出された位相偏差を平均化する。そして、電力計算処理部５２が、平均処理部５１の出力するサブキャリアシンボル位相偏差の平均値の電力を計算し、その結果を検出処理部４６に対して出力する。このような構成を用いた場合であっても上記と同様の効果を得ることができる。
【００４４】
【発明の効果】
以上、説明したとおり、本発明によれば、逆離散フーリエ変換処理前のすべてのサブキャリアまたは一部のサブキャリアに、一定の位相回転信号またはその逆方向に位相を回転させた信号のどちらか一方を多重化する構成とした。これにより、受信装置側による誤検出を抑えることができ、さらに、受信装置側に、従来技術よりも少ない処理量で初期捕捉信号を検出させることができる、という効果を奏する。
【００４５】
つぎの発明によれば、さらに、初期補足信号に対してサブキャリア毎に異なる初期位相を割り当てることとしたため、初期補足信号のピークレベルを低く抑えることができる、という効果を奏する。
【００４６】
つぎの発明によれば、ＦＦＴウィンドウタイミングを一定間隔でずらしながら初期補足信号を検出することとした。これにより、複数のＦＦＴ処理を同時に行う必要がなくなり、従来技術に比べて少ない処理で初期捕捉を完了できる、という効果を奏する。
【００４７】
つぎの発明によれば、ＦＦＴウィンドウタイミングを一定間隔でずらしながら初期補足信号を検出することとした。これにより、複数のＦＦＴ処理を同時に行う必要がなくなり、従来技術に比べて少ない処理で初期捕捉を完了できる、という効果を奏する。
【００４８】
つぎの発明によれば、サブキャリアシンボルおよびシンボル間の位相偏差を利用して検出処理を行うこととしたため、比較的大きな周波数オフセットが存在する場合であっても初期捕捉を実現でき、さらに、周波数オフセット量を容易に推定できる、という効果を奏する。
【００４９】
つぎの発明によれば、シンボル間の位相偏差を利用して検出処理を行うこととしたため、比較的大きな周波数オフセットが存在する場合であっても初期捕捉を実現でき、さらに、周波数オフセット量を容易に推定できる、という効果を奏する。
【図面の簡単な説明】
【図１】本発明にかかるマルチキャリアＣＤＭＡ用の送信装置の構成を示す図である。
【図２】本発明にかかるマルチキャリアＣＤＭＡ用の受信装置の構成を示す図である。
【図３】初期捕捉信号生成部の構成例を示す図である。
【図４】初期捕捉用の拡散信号の一例を示す図である。
【図５】初期捕捉用の拡散信号の多重化の一例を示す図である。
【図６】ガードインターバル波形除去方法の具体例を示す図である。
【図７】初期捕捉信号検出処理部の構成例を示す図である。
【図８】サブキャリアシンボル位相偏差の平均電力の様子を表した図である。
【図９】初期捕捉信号検出処理部の別構成例を示す図である。
【符号の説明】
１　変調処理部、２　拡散処理部、３　初期捕捉信号生成部、４　多重化部、５　逆離散フーリエ変換処理部、６　アナログ送信処理部、７，１３　発振器、８，１１　アンテナ、１２　アナログ受信処理部、１４　ガードインターバル（ＧＩ）除去部、１５　サブキャリア抽出処理部、１６　初期捕捉信号検出処理部、２１　位相回転信号生成部、２２　複素共役計算部、２３　選択処理部、２４位相回転処理部、４１　サブキャリア位相偏差計算処理部、４２　乗算部、４３，４５，５１　平均処理部、４４，５２　電力計算処理部、４６　検出処理部。
【図１】
2004064670.tif 000003
【図２】
2004064670.tif 000004
【図３】
2004064670.tif 000005
【図４】
2004064670.tif 000006
【図５】
2004064670.tif 000007
【図６】
2004064670.tif 000008
【図７】
2004064670.tif 000009
【図８】
2004064670.tif 000010
【図９】
2004064670.tif 000011